【手続補正書】
【提出日】平成19年10月11日(2007.10.11)
【手続補正１】
【補正対象書類名】明細書
【補正対象項目名】発明の名称
【補正方法】変更
【補正の内容】
【発明の名称】有機発光素子を用いた表示装置
【手続補正２】
【補正対象書類名】明細書
【補正対象項目名】特許請求の範囲
【補正方法】変更
【補正の内容】
【特許請求の範囲】
【請求項１】
有機発光素子を用いた表示装置において、
ドライバ部は、
電流発生部と、電圧発生部を具備し、
階調データが、第１の所定値より大きい場合は、１水平走査期間内の第１の期間において前記電流発生部による電流を出力し、
前記階調データが、前記第１の所定値以下の場合は、前記第１の期間内の第２の期間において、前記電圧発生部による第１の電圧出力を、前記電流出力に替えて、または前記電流出力と同時に行い、前記第２の期間を除いた前記第１の期間において、前記電流発生部による電流出力を行うことを特徴とする、有機発光素子を用いた表示装置。
【請求項２】
有機発光素子を用いた表示装置において、
前記電圧出力及び第１の所定値のうちの少なくとも一方は、表示色により異なることを特徴とする、請求項１記載の有機発光素子を用いた表示装置。
【請求項３】
有機発光素子を用いた表示装置において、
第２の所定の電圧、第３の所定の電圧、および第４の所定の電圧のうちの少なくともいずれかの電圧を発生する第２の電圧発生部と、
第２の階調データに応じた電流を発生する第２の電流発生部と、
第３の階調データに応じた電流を発生する第３の電流発生部と、
第４の階調データに応じた電流を発生する第４の電流発生部と、を備え、
前記第２の階調データが第２の所定値以上の場合は、前記第２の電流発生部から前記第２の階調データに応じた電流が１水平期間内の第１の所定期間出力され、
前記第３の階調データが第３の所定値以上の場合は、前記第３の電流発生部から前記第３の階調データに応じた電流が１水平期間内の第１の所定期間出力され、
前記第４の階調データが第４の所定値以上の場合は、前記第４の電流発生部から前記第４の階調データに応じた電流が１水平期間内の第１の所定期間出力され、
前記第２の階調データが前記第２の所定値より小さい場合は、前記第２の所定の電圧が前記第１の所定期間内の第２の所定期間内において、前記第２の電流出力に代えて、または前記第２の電流出力と同時に前記第２の所定の電圧が出力され、
前記第３の階調データが前記第３の所定値より小さい場合は、前記第３の所定の電圧が前記第１の所定期間内の第２の所定期間内において、前記第３の電流出力に代えて、または前記第３の電流出力と同時に前記第２の所定の電圧が出力され、
前記第４の階調データが前記第４の所定値より小さい場合は、前記第４の所定の電圧が前記第１の所定期間内の第２の所定期間内において、前記第４の電流出力に代えて、または前記第４の電流出力と同時に前記第２の所定の電圧が出力される、有機発光素子を用いた表示装置。
【請求項４】
前記第１の電圧出力は、前記階調データのうち最も低い第１の階調データに相当する電圧である、請求項１に記載の有機発光素子を用いた表示装置。
【請求項５】
前記第１の電圧出力は、前記階調データのうちのゼロ階調データに相当する電圧である、請求項１に記載の有機発光素子を用いた表示装置。
【請求項６】
前記第２の所定の電圧は、前記第２の階調データのうち最も低い第５の階調データに相当する電圧であり、
前記第３の所定の電圧は、前記第３の階調データのうち最も低い第６の階調データに相当する電圧であり、
前記第４の所定の電圧は、前記第４の階調データのうち最も低い第７の階調データに相当する電圧である、請求項３に記載の有機発光素子を用いた表示装置。
【請求項７】
前記第２の所定期間は、前記第１の所定期間の終了時点を含まない、請求項２〜６のいずれかに記載の有機発光素子を用いた表示装置。
【請求項８】
前記第２の所定期間は、前記第１の所定期間の開始時点を含む、請求項２〜７のいずれかに記載の有機発光素子を用いた表示装置。
【請求項９】
前記電圧発生部の出力側と前記画素回路のソース信号線との間に接続された第１のスイッチと、
階調データが入力され、前記階調データに応じて前記第１のスイッチの動作を制御する電圧出力制御部と、
前記電流発生部の出力側と前記画素回路のソース信号線との間に接続された第２のスイッチと、
前記第２のスイッチの動作を制御する電流出力制御部と、をさらに備える、請求項２から８のいずれかに記載の有機発光素子を用いた表示装置。
【請求項１０】
請求項１記載のドライバ部の出力が、
画素回路に接続され、
前記画素回路は、
前記ドライバ部の出力を取り込み、１垂直走査期間の間保持を行うための第１のコンデンサと、
前記第１のコンデンサとゲート電極が接続された第１のトランジスタと、
前記有機発光素子と、
前記有機発光素子に第１のトランジスタから出力される電流を供給するかどうかを決定する第１のスイッチング素子を具備することを特徴とする、請求項１記載の有機発光素子を用いた表示装置。
【請求項１１】
前記第１のスイッチング素子は、１垂直走査期間のうちの１／Ｎ倍の期間（Ｎ＞１）導通状態となり、前記電流発生部の電流出力がＮ倍で出力されることを特徴とする、請求項１０記載の有機発光素子を用いた表示装置。
【請求項１２】
前記第１の所定期間は、１水平走査期間である、請求項１〜１１のいずれかに記載の有機発光素子を用いた表示装置。
【手続補正３】
【補正対象書類名】明細書
【補正対象項目名】０００１
【補正方法】変更
【補正の内容】
【０００１】
【発明の属する技術分野】
本発明は、たとえば、有機電界発光素子など、電流量により階調表示を行なう画素回路の駆動のために電流出力を行なう有機発光素子を用いた表示装置に関する。
【手続補正４】
【補正対象書類名】明細書
【補正対象項目名】００１３
【補正方法】変更
【補正の内容】
【００１３】
本発明は、たとえば、上記の課題を鑑み、低階調時においても、階調表示に遅れを生じない有機発光素子を用いた表示装置を提供することを目的とする。
【手続補正５】
【補正対象書類名】明細書
【補正対象項目名】００１４
【補正方法】変更
【補正の内容】
【００１４】
【課題を解決するための手段】
上記課題を解決するための第１の本発明は、有機発光素子を用いた表示装置において、
ドライバ部は、
電流発生部と、電圧発生部を具備し、
階調データが、第１の所定値より大きい場合は、１水平走査期間内の第１の期間において前記電流発生部による電流を出力し、
前記階調データが、前記第１の所定値以下の場合は、前記第１の期間内の第２の期間において、前記電圧発生部による第１の電圧出力を、前記電流出力に替えて、または前記電流出力と同時に行い、前記第２の期間を除いた前記第１の期間において、前記電流発生部による電流出力を行うことを特徴とする、有機発光素子を用いた表示装置である。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００８７
【補正方法】変更
【補正の内容】
【００８７】
なお、この方法は電流発生部１４の構成が定電流源とカレントミラーによってできたもの以外でも、図３、図４の構成でも実現可能である。トランジスタ３４のゲート電位を変化させればＮ倍電流出力を実現できるためである。
【手続補正２０】
【補正対象書類名】明細書
【補正対象項目名】００８８
【補正方法】変更
【補正の内容】
【００８８】
また、上記の説明において、有機発光素子２４の表示時間が、１垂直走査期間から１水平走査期間内の第１の所定の期間が減算された期間であるときは、この期間を１／Ｎ倍（Ｎ＞１）とし、流れる電流をＮ倍としてもよい。